(57)【要約】【課題】矯正状態にばらつきが生じることを抑える扉矯正ユニットを提供する。【解決手段】第１取付対象、および、第２取付対象の少なくとも１つは、前記第１取付対象と前記第２取付対象との間の開口を開閉する扉２１Ｄであり、前記第１取付対象に取付けられた第１矯正部材３１と、前記第２取付対象に取付けられた第２矯正部材３２と、を備え、前記第１矯正部材３１、および、前記第２矯正部材３２は、前記扉２１Ｄが前記開口を閉じる状態で相互に係合して前記扉２１Ｄの状態を矯正し、前記扉２１Ｄが前記開口を開ける状態で前記係合を解除する扉矯正ユニット３０であって、前記第１取付対象は、相互に異なる２つの側面から構成される縦側角部ＥＶを有し、前記第１矯正部材３１は、前記縦側角部ＥＶに当接して前記第１矯正部材３１を前記第１取付対象に位置決めする位置決め部を有する。【選択図】図１
2015098750.tif 000002
【特許請求の範囲】
【請求項１】
第１取付対象、および、第２取付対象の少なくとも１つが、前記第１取付対象と前記第２取付対象との間の開口を開閉する扉であり、
前記第１取付対象に取付けられた第１矯正部材と、
前記第２取付対象に取付けられた第２矯正部材と、を備え、
前記第１矯正部材、および、前記第２矯正部材は、前記扉が前記開口を閉じる状態で相互に係合して前記扉の状態を矯正し、前記扉が前記開口を開ける状態で前記係合を解除する扉矯正ユニットであって、
前記第１取付対象は、相互に異なる２つの側面から構成される角部を有し、
前記第１矯正部材は、前記角部を構成する２つの側面に当接して前記第１矯正部材を前記第１取付対象に位置決めする位置決め部を有する
ことを特徴とする扉矯正ユニット。
【請求項２】
前記角部は、
前記第１矯正部材の取付けられる取付面と、
前記取付面に接続する前記第１取付対象の端面と、から構成され、
前記位置決め部は、
前記取付面に当接して前記取付面に取付けられる基盤部と、
前記基盤部から前記端面に沿って屈曲して前記端面に当接する屈曲部と、を備える
請求項１に記載の扉矯正ユニット。
【請求項３】
前記角部は、前記第１取付対象において１つの方向に沿って延びる形状を有し、
前記位置決め部は、前記角部の延在方向に沿って延びる形状を有する
請求項１または２に記載の扉矯正ユニット。
【請求項４】
前記第１取付対象は、扉であり、
前記角部は、扉の枠体の中で縦桟を含む縦側角部であり、
前記位置決め部は、縦側位置決め部であり、
前記第１取付対象は、相互に異なる２つの側面から構成されて前記枠体の中で横桟を含む横側角部をさらに有し、
前記第１矯正部材は、前記横側角部に当接して前記第１矯正部材を前記第１取付対象に位置決めする横側位置決め部をさらに有する
請求項１から３のいずれか１つに記載の扉矯正ユニット。
【請求項５】
前記第１矯正部材は、
前記縦側位置決め部の延在方向に沿って間隔を空けて並ぶ２つの前記横側位置決め部を備え、
２つの前記横側位置決め部の各々は、
前記角部において前記第１矯正部材の取付けられる取付面に当接して前記取付面に取付けられる相互に共通する基盤部と、
前記取付面に接続する前記第１取付対象の端面に沿って、前記基盤部から屈曲して前記端面に当接する横側屈曲部と、を備え、
前記横側屈曲部は、前記基盤部から切断可能に脆弱部を介して前記基盤部に連結している
請求項４に記載の扉矯正ユニット。
【請求項６】
前記第１取付対象は、第１扉であり、
前記第２取付対象は、第２扉であり、
前記位置決め部は、前記第１扉と前記第２扉との召し合わせ部に位置する
請求項１から５のいずれか１つに記載の扉矯正ユニット。
【請求項７】
前記角部は、第１角部であり、
前記位置決め部は、第１位置決め部であり、
前記第２取付対象は、相互に異なる２つの側面から構成される第２角部を有し、
前記第２矯正部材は、前記第２角部に当接して前記第２矯正部材を前記第２取付対象に位置決めする第２位置決め部を有し、
前記第１位置決め部、および、前記第２位置決め部は、
前記扉が前記開口を閉じる状態で相互に当接するように、前記第１扉と前記第２扉との間の開口である召し合わせ部に位置し、かつ、
前記第１扉と前記第２扉とが相互に対向する方向において、前記第１位置決め部の厚さと前記第２位置決め部の厚さとの合計が、前記召し合わせ部の施工間隔以下である
請求項６に記載の扉矯正ユニット。
【請求項８】
前記第１取付対象と前記第２取付対象のいずれか一方は、扉であり、
前記第１取付対象と前記第２取付対象の中で扉以外は、戸枠であり、
前記位置決め部は、扉と戸枠との突き合わせ部に位置する
請求項１から３のいずれか１つに記載の扉矯正ユニット。
【請求項９】
前記第１矯正部材は、
扉の表面と扉の裏面とのいずれか一方である取付面に取付られて前記取付面に当接する基盤部と、
前記扉が前記開口を閉じる状態で前記基盤部から前記第２矯正部材に向けて延出する延出部と、を備え、
前記第２矯正部材は、
前記扉が前記開口を閉じるとき、前記扉の状態が矯正される位置に前記延出部を受入れて案内する案内部を備える
請求項１から８のいずれか１つに記載の扉矯正ユニット。
【発明の詳細な説明】
【技術分野】
【０００１】
本開示の技術は、扉の状態を矯正する扉矯正ユニットに関する。
【背景技術】
【０００２】
クローゼットなどの収納空間を室内において区画する間仕切りには、相互に隣り合う扉が蝶番によって連結された折れ戸が利用されている。こうした間仕切りにおいて、扉と戸枠との突合せ部や扉同士の召合せ部には、扉の捩れや扉の反りなどを一対の矯正部材によって矯正する扉矯正ユニットが利用されている（例えば、特許文献１を参照）。
【先行技術文献】
【特許文献】
【０００３】
【特許文献１】特開２００４−２０４５０３号公報
【発明の概要】
【発明が解決しようとする課題】
【０００４】
上述した扉矯正ユニットは、一方の矯正部材と他方の矯正部材とが相互に係合することによって扉の状態を矯正している。しかしながら、矯正部材を扉に取付ける施工者の感覚に従って矯正部材が取り付けられているため、扉における矯正部材の位置に施工者間での差異が生じてしまい、一対の矯正部材の係合の度合いにも差異が生じている。結果として、扉の反りの矯正度合いや扉位置の矯正度合いなどの扉矯正ユニットにおける矯正状態にもばらつきが生じている。
【０００５】
本開示の技術は、矯正状態にばらつきが生じることを抑える扉矯正ユニットを提供することを目的とする。
【課題を解決するための手段】
【０００６】
上記課題を解決するための扉矯正ユニットは、第１取付対象、および、第２取付対象の少なくとも１つが、前記第１取付対象と前記第２取付対象との間の開口を開閉する扉であり、前記第１取付対象に取付けられた第１矯正部材と、前記第２取付対象に取付けられた第２矯正部材とを備える。前記第１矯正部材、および、前記第２矯正部材は、前記扉が前記開口を閉じる状態で相互に係合して前記扉の状態を矯正し、前記扉が前記開口を開ける状態で前記係合を解除する。そして、前記第１取付対象は、相互に異なる２つの側面から構成される角部を有し、前記第１矯正部材は、前記角部を構成する２つの側面に当接して前記第１矯正部材を前記第１取付対象に位置決めする位置決め部を有する。
【０００７】
上記扉矯正ユニットによれば、第１取付対象の有する角部が、第１側面と第２側面とから構成されるとき、第１矯正部材の位置決め部が第１側面と当接することによって、第１矯正部材の第２側面に沿った移動の一部が規制される。また、第１矯正部材の位置決め部が第２側面と当接することによって、第１矯正部材の第２側面に沿った移動の一部が規制される。それゆえに、第１取付対象における第１矯正部材の位置の精度が高められる結果、扉矯正ユニットにおいて矯正状態にばらつきが生じることが抑えられる。
【０００８】
上記扉矯正ユニットにおいて、前記角部は、前記第１矯正部材の取付けられる取付面と、前記取付面に接続する前記第１取付対象の端面と、から構成され、前記位置決め部は、前記取付面に当接して前記取付面に取付けられる基盤部と、前記基盤部から前記端面に沿って屈曲して前記端面に当接する屈曲部と、を備えることが好ましい。
【０００９】
上記扉矯正ユニットによれば、位置決め部の一部が当接する取付面に第１矯正部材が取付けられるため、取付面に対する位置決め部の位置のずれが抑えられ、ひいては、第１取付対象における第１矯正部材の位置の精度がさらに高められる。
【００１０】
上記扉矯正ユニットにおいて、前記角部は、前記第１取付対象において１つの方向に沿って延びる形状を有し、前記位置決め部は、前記角部の延在方向に沿って延びる形状を有することが好ましい。
【００１１】
上記扉矯正ユニットによれば、第１矯正部材が第１取付対象に取付られる際に、第１矯正部材の位置の自由度が、第１取付対象における角部の延在方向に規定される。それゆえに、第１取付対象における第１矯正部材の位置の精度が高められる。
【００１２】
上記扉矯正ユニットにおいて、前記第１取付対象は、扉であり、前記角部は、扉の枠体の中で縦桟を含む縦側角部であり、前記位置決め部は、縦側位置決め部である。そして、前記第１取付対象は、相互に異なる２つの側面から構成されて前記枠体の中で横桟を含む横側角部をさらに有し、前記第１矯正部材は、前記横側角部に当接して前記第１矯正部材を前記第１取付対象に位置決めする横側位置決め部をさらに有することが好ましい。
【００１３】
上記扉矯正ユニットによれば、第１矯正部材が第１取付対象に取付られる際に、縦側角部の延在方向における第１矯正部材の位置は、横側角部によって規定される。また、横側角部の延在方向における第１矯正部材の位置は、縦側角部によって規定される。それゆえに、第１取付対象における第１矯正部材の位置の精度が、さらに高められる。
【００１４】
上記扉矯正ユニットにおいて、前記第１矯正部材は、前記縦側位置決め部の延在方向に沿って間隔を空けて並ぶ２つの前記横側位置決め部を備え、２つの前記横側位置決め部の各々は、前記角部において前記第１矯正部材の取付けられる取付面に当接して前記取付面に取付けられる相互に共通する基盤部と、前記取付面に接続する前記第１取付対象の端面に沿って、前記基盤部から屈曲して前記端面に当接する横側屈曲部と、を備えている。そして、前記横側屈曲部は、前記基盤部から切断可能に脆弱部を介して前記基盤部に連結していることが好ましい。
【００１５】
縦側位置決め部の延在方向に沿って２つの横側位置決め部が並ぶ第１矯正部材であれば、横側位置決め部による位置決め機能が、縦側位置決め部の延在方向に沿って２箇所で発揮される。一方で、縦側位置決め部の延在方向に沿って２つの横側位置決め部が並ぶ第１矯正部材では、縦側位置決め部の延在方向において、第１矯正部材の取付対象の有する高さと、２つの横側位置決め部の間隔とが略等しいことが求められる。これに対して、上記扉矯正ユニットによれば、横側位置決め部における横側屈曲部が、基盤部から切断可能である。そのため、例えば、２つの横側位置決め部のいずれか一方において、横側屈曲部が切断された状態であれば、縦側位置決め部の延在方向において、第１取付対象とは異なる高さを有する取付対象にも、第１矯正部材の取付が可能となる。それゆえに、第１矯正部材の適用される取付対象の大きさの範囲を拡張させることが可能でもある。
【００１６】
上記扉矯正ユニットにおいて、前記第１取付対象は、第１扉であり、前記第２取付対象は、第２扉であり、前記位置決め部は、前記第１扉と前記第２扉との召し合わせ部に位置してもよい。
【００１７】
上記扉矯正ユニットによれば、矯正状態にばらつきが生じることが召し合わせ部において抑えられる。
上記扉矯正ユニットにおいて、前記角部は、第１角部であり、前記位置決め部は、第１位置決め部であり、前記第２取付対象は、相互に異なる２つの側面から構成される第２角部を有し、前記第２矯正部材は、前記第２角部に当接して前記第２矯正部材を前記第２取付対象に位置決めする第２位置決め部を有する。前記第１位置決め部、および、前記第２位置決め部は、前記扉が前記開口を閉じる状態で相互に当接するように、前記第１扉と前記第２扉との間の開口である召し合わせ部に位置し、かつ、前記第１扉と前記第２扉とが相互に対向する方向において、前記第１位置決め部の厚さと前記第２位置決め部の厚さとの合計が、前記召し合わせ部の施工間隔以下であることが好ましい。
【００１８】
上記扉矯正ユニットによれば、第１扉と第２扉とが相互に対向する方向において、第１位置決め部の厚さと、第２位置決め部の厚さとの合計が、召し合わせ部の施工間隔以下である。それゆえに、第１位置決め部と第２位置決め部との当接する状態、すなわち、扉間の開口が閉じられた状態において、扉間の間隔が召し合わせ部の施工間隔以下に抑えられる。結果として、扉矯正ユニットにおいて矯正状態にばらつきが生じることが抑えられ、かつ、こうしたばらつきの抑制に際して、扉間の間隔が過剰に広がることも抑えられる。
【００１９】
上記扉矯正ユニットにおいて、前記第１取付対象と前記第２取付対象のいずれか一方は、扉であり、前記第１取付対象と前記第２取付対象の中で扉以外は、戸枠であり、前記位置決め部は、扉と戸枠との突き合わせ部に位置してもよい。
【００２０】
上記扉矯正ユニットによれば、矯正状態にばらつきが生じることが突き合わせ部において抑えられる。
上記扉矯正ユニットにおいて、前記第１矯正部材は、扉の表面と扉の裏面とのいずれか一方である取付面に取付られて前記取付面に当接する基盤部と、前記扉が前記開口を閉じる状態で前記基盤部から前記第２矯正部材に向けて延出する延出部と、を備える。そして、前記第２矯正部材は、前記扉が前記開口を閉じるとき、前記扉の状態が矯正される位置に前記延出部を受入れて案内する案内部を備える。
【００２１】
上記扉矯正ユニットによれば、扉が開口を閉じるとき、第１矯正部材の延出部が、第２矯正部材の案内部に案内されるため、扉の状態の矯正が円滑に進む。
【図面の簡単な説明】
【００２２】
【図１】図１は、本開示の技術における第１実施形態の扉矯正ユニットを備える間仕切りの正面構造を示す正面図であって、２つの折れ戸が１つの戸枠の内部において移動できる状態で配置された間仕切りを示す図である。
【図２】図２は、第１実施形態における第１矯正部材の表面側から見た第１矯正部材の斜視構造を示す斜視図である。
【図３】図３は、第１実施形態における第１矯正部材の裏面側から見た第１矯正部材の斜視構造を示す斜視図である。
【図４】図４は、第１実施形態における第１矯正部材の側面構造を示す側面図であって、横側屈曲部を二点鎖線によって示す図である。
【図５】図５は、第１実施形態における扉矯正ユニットの作用を示す作用図であって、扉間の開口が閉じられる際の第１矯正部材と第２矯正部材との相対的な位置を示す図である。
【図６】図６は、変形例における扉矯正ユニットの作用を示す作用図であって、扉間の開口が閉じられる際の第１矯正部材と第２矯正部材との相対的な位置を示す図である。
【図７】図７は、本開示の技術における第２実施形態の扉矯正ユニットを備える間仕切りの正面構造を示す正面図であって、１つの折れ戸が１つの戸枠の内部に移動できる状態で配置された間仕切りを示す図である。
【図８】図８は、第２実施形態における第１矯正部材の正面側から見た第１矯正部材の斜視構造を示す斜視図である。
【図９】図９は、第２実施形態における第１矯正部材の裏面側から見た第１矯正部材の斜視構造を示す斜視図である。
【図１０】図１０は、第２実施形態における第２矯正部材の表面側から見た第２矯正部材の斜視構造を示す斜視図である。
【図１１】図１１は、第２実施形態における第２矯正部材の裏面側から見た第２矯正部材の斜視構造を示す斜視図である。
【図１２】図１２は、第２実施形態における扉矯正ユニットの作用を示す作用図であって、扉間の開口が閉じられる際の第１矯正部材と第２矯正部材との相対的な位置を示す図である。
【発明を実施するための形態】
【００２３】
（第１実施形態）
図１から図５を参照して本開示における扉矯正ユニットの第１実施形態を説明する。
［扉２１Ｄの構成］
図１が示すように、矩形枠体形状を有する戸枠１１は、上側横枠１１Ｕ、左側縦枠１１Ｌ、右側縦枠１１Ｒ、および、下側横枠１１Ｂから構成されている。戸枠１１の内部には、２つの折れ戸２１が横方向に沿って並んでいる。２つの折れ戸２１の各々において、相互に隣合う２つの扉２１Ｄの各々は、蝶番によって相互に連結されている。折れ戸２１における各扉２１Ｄは、ランナー２２を介して、上側横枠１１Ｕと下側横枠１１Ｂとに、回転自在、かつ、横方向に走行自在に支持されている。
【００２４】
左側の折れ戸２１を構成する２つの扉２１Ｄの中で右側に位置する扉２１Ｄは、第１取付対象の一例である第１扉２１Ｄ１である。右側の折れ戸２１を構成する２つの扉２１Ｄの中で左側に位置する折れ戸２１は、第２取付対象の一例である第２扉２１Ｄ２である。
【００２５】
第１扉２１Ｄ１と第２扉２１Ｄ２との間の開口は、召し合わせ部２３であり、召し合わせ部２３における縦方向の略中央には、樹脂製の扉矯正ユニット３０が位置している。なお、扉矯正ユニット３０は、召し合わせ部２３において上端部に位置してもよいし、召し合わせ部２３において下端部に位置してもよい。また、複数の扉矯正ユニット３０が、召し合わせ部２３において縦方向に沿って並んでもよい。
【００２６】
扉矯正ユニット３０は、第１矯正部材３１と第２矯正部材３２とから構成されている。第１矯正部材３１は、第１取付面の一例である第１扉２１Ｄ１の裏面に取付られ、第２矯正部材３２は、第２取付面の一例である第２扉２１Ｄ２の裏面に取り付けられている。これら第１扉２１Ｄ１の裏面、および、第２扉２１Ｄ２の裏面は、扉矯正ユニット３０の取付けられる取付面２１Ｓである。なお、扉矯正ユニット３０の取付られる面は、扉２１Ｄの裏面に限らず、扉２１Ｄの表面（正面）であってもよい。
【００２７】
扉２１Ｄの枠体が有する各面、および、扉２１Ｄの有する各角部は、以下のように設定されている。
第１扉２１Ｄ１と第２扉２１Ｄ２との間の開口が閉じられた状態において、第１扉２１Ｄ１の枠体の中で第２扉２１Ｄ２と対向する部分、および、第２扉２１Ｄ２の枠体の中で第１扉２１Ｄ１と対向する部分は、それぞれ縦側端面２１Ｅである。また、第１扉２１Ｄ１と第２扉２１Ｄ２の各々の枠体の中で、上側横枠１１Ｕと対向する部分は、上側端面２１ＵＥである。また、第１扉２１Ｄ１と第２扉２１Ｄ２の各々の枠体の中で、下側横枠１１Ｂと対向する部分は、下側端面２１ＢＥである。
【００２８】
第１扉２１Ｄ１と第２扉２１Ｄ２との各々では、取付面２１Ｓと１つの縦側端面２１Ｅとによって、縦方向に沿って延びる縦側角部ＥＶが構成されている。縦側角部ＥＶは、扉２１Ｄの枠体の中で縦桟を含んでいる。また、第１扉２１Ｄ１と第２扉２１Ｄ２との各々では、取付面２１Ｓと上側端面２１ＵＥとによって、横方向に沿って延びる上側角部ＥＨ１が構成されている。上側角部ＥＨ１は、扉２１Ｄの枠体の中で横桟を含んでいる。また、第１扉２１Ｄ１と第２扉２１Ｄ２との各々では、取付面２１Ｓと下側端面２１ＢＥとによって、横方向に沿って延びる１つの下側角部ＥＨ２が構成されている。下側角部ＥＨ２は、扉２１Ｄの枠体の中で横桟を含んでいる。
【００２９】
［扉矯正ユニット３０の構成］
第１矯正部材３１と第２矯正部材３２とは、第１矯正部材３１と第２矯正部材３２との中心を通って紙面と直交する回転軸Ａに対して回転対称である。以下では、第１矯正部材３１の構成を主に説明し、第２矯正部材３２の構成の中で第１矯正部材３１の構成と重なる構成の説明を割愛する。なお、図２、および、図３は、第１矯正部材３１の構成を説明する便宜上、第１扉２１Ｄ１に取付られる前の第１矯正部材３１の斜視構造を示す。
【００３０】
図２が示すように、第１矯正部材３１において取付面２１Ｓに取付られる部分は、縦方向に沿って延びる直方体形状を有した基盤部４１である。
基盤部４１の表面には、ねじの挿通される２つの孔Ｈが縦方向に沿って並び、孔Ｈに挿通されたねじによって、第１矯正部材３１は第１扉２１Ｄ１に取付られる。基盤部４１の表面は、延出部４２と、案内部の一例である案内面４３とを有し、延出部４２と案内面４３とは縦方向に沿って並んでいる。
【００３１】
延出部４２は、基盤部４１から第２矯正部材３２に向けて横方向に沿って延出する爪形状を有している。延出部４２の中で第２矯正部材３２と対向する面は、係合面４２Ｓである。係合面４２Ｓは、係合面４２Ｓにおいて第２矯正部材３２から遠い部位ほど、基盤部４１の裏面側に位置するように、緩やかな傾斜を有している。
【００３２】
案内面４３は、案内面４３において第２矯正部材３２に近い部位ほど、基盤部４１の裏面側に位置するように、緩やかな傾斜を有している。こうした案内面４３の形状は、以下のように設定されている。すなわち、第１扉２１Ｄ１や第２扉２１Ｄ２が、本来位置するべき位置からずれていたり、扉２１Ｄそのものに反りなどが生じていたりする状態で、第１扉２１Ｄ１と第２扉２１Ｄ２との間の開口が閉じられるとき、第１矯正部材３１の案内面４３に、第２矯正部材３２における延出部４２の先端が当たるように、案内面４３の形状が設定されている。そして、第２矯正部材３２の延出部４２が第１矯正部材３１の案内面４３に沿って移動することによって、扉２１Ｄの位置や形状が矯正されるように、案内面４３の形状は設定されている。
【００３３】
図３が示すように、第１矯正部材３１の裏面３１Ｓには、２つの縦側屈曲部４５と、２つの横側屈曲部４６とが連結している。２つの縦側屈曲部４５は、基盤部４１の裏面における周縁の中で第２矯正部材３２に近い縁に連結し、縦方向に沿って並んでいる。２つの横側屈曲部４６の中で一方の横側屈曲部４６は、基盤部４１の裏面における周縁の中で上側縁に連結している。２つの横側屈曲部４６の中で他方の横側屈曲部４６は、基盤部４１の裏面における周縁の中で下側縁に連結している。
【００３４】
２つの縦側屈曲部４５の各々は、縦方向に沿って延びる板形状を有している。また、２つの縦側屈曲部４５の各々は、基盤部４１から第１扉２１Ｄ１の縦側端面２１Ｅに沿って屈曲し、第１扉２１Ｄ１の縦側端面２１Ｅに当接する形状を有している。基盤部４１と１つの縦側屈曲部４５とは、縦方向に沿って延びる１つの縦側位置決め部を構成している。
【００３５】
そして、第１矯正部材３１が第１扉２１Ｄ１に取付られるとき、基盤部４１の裏面が取付面２１Ｓに当接し、かつ、縦側屈曲部４５の内側面が縦側端面２１Ｅに当接する状態で、第１矯正部材３１が取付面２１Ｓにねじ止め固定される。すなわち、縦側角部ＥＶに縦側位置決め部が当接する状態で、第１矯正部材３１が第１扉２１Ｄ１に取付られる。
【００３６】
なお、２つの縦側屈曲部４５が扉２１Ｄの厚み方向に沿って有する幅は、縦側屈曲部４５の突出幅４５Ｗであり、突出幅４５Ｗは、基盤部４１の裏面と取付面２１Ｓとが当接する状態で、縦側屈曲部４５が縦側端面２１Ｅに引っ掛かる大きさであればよい。２つの縦側屈曲部４５が横方向に沿って有する肉厚は、縦側位置決め幅４５Ｔである。
【００３７】
２つの横側屈曲部４６の各々は、横方向に沿って延びる板形状を有している。２つの横側屈曲部４６の各々は、基盤部４１から第１扉２１Ｄ１の厚さ方向に沿って屈曲し、第１扉２１Ｄ１の上側端面２１ＵＥ、あるいは、第１扉２１Ｄ１の下側端面２１ＢＥに当接することの可能な形状を有している。基盤部４１と１つの横側屈曲部４６とは、横方向に沿って延びる１つの横側位置決め部を構成している。
【００３８】
図４が示すように、２つの横側屈曲部４６の各々は、横方向に沿って延びる脆弱部４６Ｋを介して、基盤部４１に接続している。脆弱部４６Ｋは、基盤部４１や横側屈曲部４６よりも低い強度を有する部分であり、横側屈曲部４６を基盤部４１から切断可能に連結している。脆弱部４６Ｋは、例えば、基盤部４１や横側屈曲部４６よりも薄い肉厚を有する部分であってもよいし、横方向に沿った切り欠きを有する部分であってもよい。
【００３９】
２つの横側屈曲部４６が扉２１Ｄの厚み方向に沿って有する幅は、横側屈曲部４６の突出幅４６Ｗであり、突出幅４６Ｗは、例えば、施工者の手や器具が横側屈曲部４６のみを摘むことが可能な程度の大きさであることが好ましい。こうした突出幅４６Ｗを有する横側屈曲部４６であれば、横側屈曲部４６と基盤部４１とが別々に摘まれるため、横側屈曲部４６と基盤部４１とを脆弱部４６Ｋにおいて切断することが容易である。
【００４０】
そして、例えば、召し合わせ部２３の縦方向における中央に扉矯正ユニット３０が取付られるとき、２つの横側屈曲部４６の各々が基盤部４１から切断されて、第１矯正部材３１が第１扉２１Ｄ１に取付られる。第２矯正部材３２においても同様に、２つの横側屈曲部４６が切断されて、第２矯正部材３２が第２扉２１Ｄ２に取付られる。
【００４１】
一方で、例えば、召し合わせ部２３の縦方向における下端に扉矯正ユニット３０が取付られるとき、２つの横側屈曲部４６の中で上側に位置する横側屈曲部４６が切断されて、第１矯正部材３１が第１扉２１Ｄ１に取付られる。この際に、基盤部４１の裏面が取付面２１Ｓに当接し、かつ、横側屈曲部４６の内側面が下側端面２１ＢＥに当接する状態で、第１矯正部材３１が取付面２１Ｓにねじ止め固定される。すなわち、下側角部ＥＨ２に横側位置決め部が当接する状態で、第１矯正部材３１が第１扉２１Ｄ１に取付られる。第２矯正部材３２においても同様に、２つの横側屈曲部４６の中で上側に位置する横側屈曲部が切断されて、第２矯正部材３２が第２扉２１Ｄ２に取付けられる。
【００４２】
また、例えば、召し合わせ部２３の縦方向における上端に扉矯正ユニット３０が取付られるとき、２つの横側屈曲部４６の中で下側に位置する横側屈曲部４６が切断されて、第１矯正部材３１が第１扉２１Ｄ１に取付られる。この際に、基盤部４１の裏面が取付面２１Ｓに当接し、かつ、横側屈曲部４６の内側面が上側端面２１ＵＥに当接する状態で、第１矯正部材３１が取付面２１Ｓにねじ止め固定される。すなわち、上側角部ＥＨ１に横側位置決め部が当接する状態で、第１矯正部材３１が第１扉２１Ｄ１に取付られる。第２矯正部材３２においても同様に、２つの横側屈曲部４６の中で下側に位置する横側屈曲部が切断されて、第２矯正部材３２が第２扉２１Ｄ２に取付けられる。
【００４３】
［扉矯正ユニット３０の作用］
図５が示すように、第１矯正部材３１が第１扉２１Ｄ１に取付られるとき、基盤部４１と縦側屈曲部４５とから構成される縦側位置決め部が縦側角部ＥＶに当接する状態で、第１矯正部材３１は第１扉２１Ｄ１に取付られる。また、第２矯正部材３２が第２扉２１Ｄ２に取付られるとき、これもまた、基盤部４１と縦側屈曲部４５とから構成される縦側位置決め部が縦側角部ＥＶに当接する状態で、第２矯正部材３２は第２扉２１Ｄ２に取付られる。この際に、第１矯正部材３１の横方向に沿った移動が規制され、また、第２矯正部材３２の横方向に沿った移動が規制される。それゆえに、第１扉２１Ｄ１における第１矯正部材３１の位置の精度が高められ、また、第２扉２１Ｄ２における第２矯正部材３２の位置の精度が高められる。
【００４４】
そして、第１扉２１Ｄ１と第２扉２１Ｄ２とが相互に近づくことによって、第１扉２１Ｄ１と第２扉２１Ｄ２との間の開口が閉じられる。この際に、まず、第２矯正部材３２の係合面４２Ｓは、第１矯正部材３１の案内面４３と対向し、かつ、第１矯正部材３１の係合面４２Ｓは、第２矯正部材３２の案内面４３と対向する。そして、第１扉２１Ｄ１や第２扉２１Ｄ２が、本来位置するべき位置からずれていたり、扉２１Ｄそのものに反りなどが生じていたりすると、第２矯正部材３２の先端が第１矯正部材３１に当たることによって、扉２１Ｄの状態が矯正される。
【００４５】
ここで、第１扉２１Ｄ１と第２扉２１Ｄ２との間の開口が閉じられた状態では、第１矯正部材３１の縦側屈曲部４５と、第２矯正部材３２の縦側屈曲部４５とが相互に当接する。そして、第１扉２１Ｄ１と第２扉２１Ｄ２との間には、第１矯正部材３１の縦側屈曲部４５と、第２矯正部材３２の縦側屈曲部４５とが挟まれ、第１扉２１Ｄ１と第２扉２１Ｄ２との間には、縦側位置決め幅４５Ｔの２倍に相当する間隔が空く。一方で、第１扉２１Ｄ１と第２扉２１Ｄ２との間の開口が閉じられた状態において、召し合わせ部２３が横方向に沿って有する幅である召し合わせ幅２３Ｗは、間仕切りに求められる密閉性や美観性に合わせて、例えば１ｍｍ以下のように、設計上指定された施工間隔で施工される。それゆえに、２つの縦側位置決め幅４５Ｔの合計は、召し合わせ部２３の施工間隔以下であることが好ましい。こうした構成であれば、扉間の開口が閉じられた状態において、召し合わせ幅２３Ｗが召し合わせ部の施工間隔以下に抑えられる。
【００４６】
以上、第１実施形態によれば以下の効果が得られる。
（１）第１取付対象の一例である第１扉２１Ｄ１において、第１矯正部材３１の位置の精度が高められる。その結果、扉矯正ユニット３０において矯正状態にばらつきが生じることが抑えられる。
【００４７】
（２）縦側位置決め部の一部である基盤部４１が取付面２１Ｓに当接し、かつ、その取付面２１Ｓに基盤部４１が取付けられるため、取付面２１Ｓに対する縦側位置決め部の位置のずれが抑えられる。
【００４８】
（３）縦側角部ＥＶの延在方向に沿って延びる形状を縦側位置決め部が有するため、第１矯正部材３１の位置の自由度が、縦側角部ＥＶの延在方向のみに規定される。それゆえに、第１扉２１Ｄ１における第１矯正部材３１の位置の精度がさらに高められる。
【００４９】
（４）上側角部ＥＨ１に横側位置決め部が当接する使用の形態、また、下側角部ＥＨ２に横側位置決め部が当接する使用の形態であれば、縦側角部ＥＶの延在方向における第１矯正部材３１の位置は、横側角部によって規定される。それゆえに、第１扉２１Ｄ１における第１矯正部材３１の位置の精度が、さらに高められる。
【００５０】
（５）横側屈曲部４６が基盤部４１から切断可能であるため、横側屈曲部４６が切断される使用の形態であれば、横側屈曲部４６と取付面２１Ｓとが構造上干渉することがない。それゆえに、縦側角部ＥＶのいずれの部位であっても、縦側角部ＥＶと縦側位置決め部とを当接させることが可能である。
【００５１】
（６）２つの横側屈曲部４６が択一的に切断可能であるため、例えば、第１矯正部材３１では、２つの横側屈曲部４６の中で案内面４３に近い横側屈曲部４６が切断され、第２矯正部材３２では、２つの横側屈曲部４６の中で係合面４２Ｓに近い横側屈曲部４６が切断される使用の形態が可能である。また、例えば、第１矯正部材３１では、２つの横側屈曲部４６の中で係合面４２Ｓに近い横側屈曲部４６が切断され、第２矯正部材３２では、２つの横側屈曲部４６の中で案内面４３に近い横側屈曲部４６が切断される使用の形態が可能である。これらの使用の形態であれば、縦側角部ＥＶに縦側位置決め部を当接させることに加えて、上側角部ＥＨ１に横側位置決め部を当接させること、あるいは、下側角部ＥＨ２に横側位置決め部を当接させることが可能でもある。
【００５２】
そのうえ、第１矯正部材３１と第２矯正部材３２との製造に際しては、共通する１つの型材を利用することが可能でもある。すなわち、第１矯正部材３１と第２矯正部材３２とが回転軸Ａに対して回転対称でない扉矯正ユニット３０において、その製造コストを抑えることや生産性を高めることが可能でもある。
【００５３】
（７）第１矯正部材３１と第２矯正部材３２とが回転軸Ａに対して回転対称であるから、上記（１）から（５）に準じた効果が、第２矯正部材３２においても得られる。
なお、上記第１実施形態は以下のように変更して実施することができる。
【００５４】
・縦側屈曲部４５の数は、第１矯正部材３１において２つに限らず、１つであってもよいし、３つ以上であってもよい。縦側屈曲部４５の有する形状は、縦方向に沿って延びる板形状に限らず、例えば、基盤部４１の裏面において扉２１Ｄの厚さ方向に突出する突起であってもよい。
【００５５】
・上側角部ＥＨ１に当接する横側屈曲部４６の数や、下側角部ＥＨ２に当接する横側屈曲部４６の数は、１つに限らず、２つ以上であってもよい。横側屈曲部４６の有する形状は、横方向に沿って延びる板形状に限らず、例えば、基盤部４１の裏面において扉２１Ｄの厚さ方向に突出する突起であってもよい。
【００５６】
・横側屈曲部４６は、縦側屈曲部４５と同じく、脆弱部４６Ｋを有しない構成であってもよい。
要するに、第１矯正部材３１の取付られる第１取付対象が、相互に異なる２つの側面から構成される角部を有し、その角部に当接する位置決め部を第１矯正部材３１が有していればよい。
【００５７】
・第２矯正部材３２から、縦側位置決め部、および、横側位置決め部の少なくとも１つが割愛されてもよい。また、第１矯正部材３１から、縦側位置決め部と横側位置決め部のいずれか一方が割愛されてもよい。
【００５８】
・第１矯正部材３１の有する構造と、第２矯正部材３２の有する構造とは、回転軸Ａに対して回転対称に限らず、例えば、回転軸Ａを通る鉛直面に対して面対称であってもよいし、これら回転軸Ａや鉛直面に対して非対称であってもよい。
【００５９】
・第１矯正部材３１は、延出部４２や案内面４３に代えて、第２矯正部材に向かって突出する突起を有し、第２矯正部材３２は、これもまた延出部４２や案内面４３に代えて、第１矯正部材３１の有する突起を収容する窪みを有してもよい。そして、これらの突起と窪みとの係合によって、扉の状態が矯正される構成であればよい。
【００６０】
要するに、第１矯正部材３１、および、第２矯正部材３２は、扉間の開口が閉じる状態で相互に係合し、扉間の開口が開いた状態でその係合を解除する構成であればよい。
・図６が示すように、扉矯正ユニット３０の適用される扉２１Ｄは、折れ戸２１を構成する扉２１Ｄに限らず、引き戸を構成する扉２１Ｄであってもよい。
【００６１】
・戸枠１１は、上側横枠１１Ｕ、左側縦枠１１Ｌ、右側縦枠１１Ｒから構成されてもよいし、これに伴い、各扉２１Ｄと下側横枠１１Ｂとを連結するランナー２２が省略されてもよい。
【００６２】
（第２実施形態）
図７から図１２を参照して本開示における扉矯正ユニットの第２実施形態を説明する。
［扉５１の構成］
図７が示すように、矩形枠体形状を有する戸枠５１は、上側横枠５１Ｕ、第２取付対象の一例である左側縦枠５１Ｌ、右側縦枠５１Ｒ、および、下側横枠１１Ｂから構成されている。戸枠５１の内部には、１つの折れ戸６１が位置している。折れ戸６１において相互に隣合う２つの扉６１Ｄの各々は、蝶番によって相互に連結されている。折れ戸６１における各扉６１Ｄは、ランナー２２を介して、上側横枠５１Ｕと下側横枠１１Ｂとに、回転自在、かつ、横方向に走行自在に支持されている。
【００６３】
折れ戸６１を構成する２つの扉６１Ｄの中で左側に位置する扉６１Ｄは、第１取付対象の一例である第１扉６１Ｄ１である。折れ戸６１を構成する２つの扉６１Ｄの中で右側に位置する折れ戸６１は、第２扉６１Ｄ２である。
【００６４】
第１扉６１Ｄ１と左側縦枠５１Ｌとの間の開口である扉枠間の開口は、突合わせ部であり、突合わせ部における縦方向の下端部には、樹脂製の扉矯正ユニット７０が位置している。なお、扉矯正ユニット７０は、突合わせ部において上端部に位置してもよいし、突合わせ部において縦方向の中央に位置してもよい。また、複数の扉矯正ユニット７０が、突合わせ部において縦方向に沿って並んでもよい。
【００６５】
扉矯正ユニット７０は、第１矯正部材７１と第２矯正部材７２とから構成されている。第１矯正部材７１は、第１取付面の一例である第１扉６１Ｄ１の裏面６１Ｓに取付られ、第２矯正部材７２は、第２取付面の一例である左側縦枠５１Ｌの内側面５１Ｅに取り付けられている。なお、扉矯正ユニット７０の取付られる面は、扉６１Ｄの裏面に限らず、扉２１Ｄの表面（正面）であってもよい。
【００６６】
扉６１Ｄの枠体が有する各面、および、扉６１Ｄの有する各角部は、以下のように設定されている。
扉枠間の開口が閉じられた状態において、第１扉６１Ｄ１の枠体の中で左側縦枠５１Ｌと対向する部分は、縦側端面６１Ｅである。また、第１扉６１Ｄ１の枠体の中で、上側横枠５１Ｕと対向する部分は、上側端面６１ＵＥである。また、第１扉６１Ｄ１の中で、下側横枠１１Ｂと対向する部分は、下側端面６１ＢＥである。
【００６７】
第１扉６１Ｄ１では、裏面６１Ｓと１つの縦側端面６１Ｅとによって、縦方向に沿って延びる縦側角部ＥＶが構成されている。縦側角部ＥＶは、扉６１Ｄの枠体の中で縦桟を含んでいる。また、第１扉６１Ｄ１では、裏面６１Ｓと上側端面６１ＵＥとによって、横方向に沿って延びる上側角部ＥＨ１が構成されている。上側角部ＥＨ１は、扉６１Ｄの枠体の中で横桟を含んでいる。また、第１扉６１Ｄ１では、裏面６１Ｓと下側端面６１ＢＥとによって、横方向に沿って延びる１つの下側角部ＥＨ２が構成されている。下側角部ＥＨ２は、扉６１Ｄの枠体の中で横桟を含んでいる。
【００６８】
［扉矯正ユニット７０の構成］
図８、および、図９は、第１矯正部材７１の構成を説明する便宜上、第１扉６１Ｄ１に取付られる前の第１矯正部材７１の斜視構造を示す。
【００６９】
図８が示すように、第１矯正部材７１において裏面６１Ｓに取付られる部分は、縦方向に沿って延びる直方体形状を有した基盤部８１である。基盤部８１の表面には、ねじの挿通される２つの孔Ｈが縦方向に沿って並び、孔Ｈに挿通されたねじによって、第１矯正部材７１は第１扉６１Ｄ１に取付られる。基盤部８１の表面は、基盤部８１において縦方向の中央に受入れ部８２を有し、縦方向において受入れ部８２を挟む部分に、案内部の一例である案内面８３を有している。
【００７０】
受入れ部８２は、基盤部８１の表面から突出する突出部であって、縦方向から見てＶ字形状を有している。受入れ部８２の中で第２矯正部材３２と対向する面は、縦方向に沿って連続する被係合面８２Ｓであって、縦方向から見てＶ字形状を有している。案内面８３は、案内面８３において第２矯正部材７２に近い部位ほど、基盤部８１の裏面側に位置するように、緩やかな傾斜を有している。
【００７１】
図９が示すように、第１矯正部材７１の裏面７１Ｓには、１つの縦側屈曲部８５と、２つの横側屈曲部８６とが連結している。
縦側屈曲部８５は、第１実施形態に記載の縦側屈曲部４５と同じく、縦方向に沿って延びる板形状であって、第１扉６１Ｄ１の縦側端面６１Ｅに当接する形状を有している。基盤部８１と縦側屈曲部８５とは、縦方向に沿って延びる縦側位置決め部を構成している。そして、第１矯正部材７１が第１扉６１Ｄ１に取付られるとき、縦側角部ＥＶに縦側位置決め部が当接する状態で、第１矯正部材７１が第１扉６１Ｄ１に取付られる。
【００７２】
なお、縦側屈曲部８５が扉６１Ｄの厚み方向に沿って有する幅は、縦側屈曲部８５の突出幅８５Ｗであり、突出幅８５Ｗは、基盤部８１の裏面と第１扉６１Ｄ１の裏面６１Ｓとが当接する状態で、縦側屈曲部８５が縦側端面６１Ｅに引っ掛かる大きさであればよい。縦側屈曲部８５が横方向に沿って有する肉厚は、縦側位置決め幅８５Ｔである。
【００７３】
２つの横側屈曲部８６の各々は、第１実施形態に記載の横側屈曲部４６と同じく、横方向に沿って延びる板形状を有し、基盤部８１の裏面における周縁の中で上側縁と下側縁とに連結している。２つの横側屈曲部８６の各々は、基盤部８１から第１扉６１Ｄ１の厚さ方向に沿って屈曲し、第１扉６１Ｄ１の上側端面６１ＵＥ、あるいは、第１扉６１Ｄ１の下側端面６１ＢＥに当接することの可能な形状を有している。基盤部８１と１つの横側屈曲部８６とは、横方向に沿って延びる１つの横側位置決め部を構成している。２つの横側屈曲部８６の各々は、横方向に沿って延びる脆弱部８６Ｋを介して基盤部８１に接続し、基盤部８１から切断可能に連結している。
【００７４】
２つの横側屈曲部８６が扉６１Ｄの厚み方向に沿って有する幅は、横側屈曲部８６の突出幅８６Ｗであり、突出幅８６Ｗは、例えば、施工者の手や器具が横側屈曲部８６のみを摘むことが可能な程度の大きさであることが好ましい。こうした突出幅８６Ｗを有する横側屈曲部８６であれば、横側屈曲部４６と基盤部４１とが別々に摘まれるため、横側屈曲部８６と基盤部８１とを脆弱部８６Ｋにおいて切断することが容易である。
【００７５】
図１０が示すように、第２矯正部材７２において内側面５１Ｅに取り付けられる部分は、縦方向に沿って延びる直方体形状を有した基盤部９１である。基盤部９１の表面には、ねじの挿通される２つの孔Ｈが縦方向に沿って並び、孔Ｈに挿通されたねじによって、第２矯正部材７２は左側縦枠５１Ｌに取付けられる。基盤部９１の表面は、基盤部９１において縦方向の中央に係合部９２を有している。係合部９２は、縦方向に沿って延びる三角柱形状を有し、係合部９２において縦方向の幅は、第１矯正部材７１の受入れ部８２において縦方向の幅よりも大きい。
【００７６】
図１１が示すように、第２矯正部材７２の裏面７２Ｓは、第１実施形態の第２矯正部材３２とは異なり、左側縦枠５１Ｌの厚み方向に沿った突部を有さず、裏面７２Ｓの全体にわたり内側面５１Ｅと当接する形状を有している。
【００７７】
［扉矯正ユニット７０の作用］
図１２が示すように、第１矯正部材７１が第１扉６１Ｄ１に取付られるとき、基盤部８１と縦側屈曲部８５とから構成される縦側位置決め部が縦側角部ＥＶに当接する状態で、第１矯正部材７１は第１扉６１Ｄ１に取付られる。また、第２矯正部材７２が左側縦枠５１Ｌに取付られるとき、第２矯正部材７２の裏面７２Ｓが内側面５１Ｅに当接する状態で、第２矯正部材３２は第２扉６１Ｄ２に取付られる。この際に、第１矯正部材７１の横方向に沿った移動が規制される。それゆえに、第１扉６１Ｄ１における第１矯正部材７１の位置の精度が高められる。
【００７８】
そして、第１扉６１Ｄ１が左側縦枠５１Ｌに近づくことによって、扉枠間の開口が閉じられる。この際に、まず、第２矯正部材７２の係合部９２は、第１矯正部材７１の案内面８３と対向する。そして、第１扉６１Ｄ１が本来位置するべき位置からずれていたり、第１扉６１Ｄ１そのものに反りなどが生じていたりすると、係合部９２の先端が、第１矯正部材７１の案内面８３に当たり、続いて、係合部９２が案内面８３に案内されて受入れ部８２の被係合面８２Ｓと係合することよって、第１扉６１Ｄ１の状態が矯正される。
【００７９】
ここで、扉枠間の開口が閉じられた状態では、第１矯正部材７１の縦側屈曲部８５と、左側縦枠５１Ｌが相互に当接する。そして、第１扉６１Ｄ１と左側縦枠５１Ｌとの間には、第１矯正部材７１の縦側屈曲部８５が挟まれ、第１扉６１Ｄ１と左側縦枠５１Ｌとの間には、縦側位置決め幅８５Ｔに相当する間隔が空く。一方で、扉枠間の開口が閉じられた状態において、突き合わせ部が横方向に沿って有する幅は、間仕切りに求められる密閉性や美観性に合わせて、例えば１ｍｍ以下のように、設計上指定された施工間隔で施工される。それゆえに、縦側位置決め幅８５Ｔは、突き合わせ部の施工間隔以下であることが好ましい。こうした構成であれば、扉枠間の開口が閉じられた状態において、突き合わせ部の幅が施工間隔以下に抑えられる。
【００８０】
以上、第２実施形態によれば上記（１）〜（７）に加えて以下の効果が得られる。
（８）矯正状態にばらつきが生じることが突き合わせ部において抑えられる。
（９）第１矯正部材７１において縦方向の略全体にわたり案内面８３が形成されているため、案内面８３によって係合部９２が案内されやすい。
【００８１】
（１０）係合部９２において縦方向の幅は、第１矯正部材７１の受入れ部８２において縦方向の幅よりも大きいため、係合部９２の表面と受入れ部８２の被係合面８２Ｓとが係合しやすい。
【００８２】
なお、上記第２実施形態は以下のように変更して実施することができる。
・縦側屈曲部８５の数は、第１矯正部材７１において１つに限らず、２つ以上であってもよい。縦側屈曲部８５の有する形状は、縦方向に沿って延びる板形状に限らず、例えば、基盤部８１の裏面において扉６１Ｄの厚さ方向に突出する突起であってもよい。
【００８３】
・下側角部ＥＨ２に当接する横側屈曲部８６の数は、１つに限らず、２つ以上であってもよい。横側屈曲部８６の有する形状は、横方向に沿って延びる板形状に限らず、例えば、基盤部８１の裏面において扉６１Ｄの厚さ方向に突出する突起であってもよい。
【００８４】
・横側屈曲部８６は、縦側屈曲部８５と同じく、脆弱部８６Ｋを有しない構成であってもよい。
要するに、第１矯正部材７１の取付られる第１取付対象が、相互に異なる２つの側面から構成される角部を有し、その角部に当接する位置決め部を第１矯正部材７１が有していればよい。
【００８５】
・第２矯正部材７２は、第１実施形態における縦側位置決め部、および、横側位置決め部の少なくとも１つを有していてもよい。また、第１矯正部材７１から、縦側位置決め部と横側位置決め部のいずれか一方が割愛されてもよい。さらに、第２矯正部材７２が、第１実施形態における縦側位置決め部、および、横側位置決め部の少なくとも１つを有し、かつ、第１矯正部材７１から、縦側位置決め部および横側位置決め部の少なくとも１つが割愛されてもよい。
【００８６】
・戸枠５１は、上側横枠５１Ｕ、左側縦枠５１Ｌ、右側縦枠５１Ｒから構成されてもよいし、これに伴い、各扉６１Ｄと下側横枠１１Ｂとを連結するランナー２２が省略されてもよい。
【符号の説明】
【００８７】
Ａ…回転軸、ＥＨ１…上側角部、ＥＨ２…下側角部、ＥＶ…縦側角部、２１,６１…折れ戸、２１Ｄ,６１Ｄ…扉、２１Ｄ１,６１Ｄ１…第１扉、２１Ｄ２,６１Ｄ２…第２扉、２１Ｅ,６１Ｅ…縦側端面、２１Ｓ…取付面、３０,７０…扉矯正ユニット、３１,７１…第１矯正部材、３２,７２…第２矯正部材、４１,８１…基盤部、４２…延出部、４３…案内面、４５…縦側屈曲部、４６…横側屈曲部、４６Ｋ,８６Ｋ…脆弱部。
【図１】
2015098750.tif 000003
【図２】
2015098750.tif 000004
【図３】
2015098750.tif 000005
【図４】
2015098750.tif 000006
【図５】
2015098750.tif 000007
【図６】
2015098750.tif 000008
【図７】
2015098750.tif 000009
【図８】
2015098750.tif 000010
【図９】
2015098750.tif 000011
【図１０】
2015098750.tif 000012
【図１１】
2015098750.tif 000013
【図１２】
2015098750.tif 000014